(57)【要約】【課題】画像の取り込み回数が１度でよく、取り込んだ画像を種々の出力装置に用いることができ、画像の修正等も容易な画像作成装置および記録媒体を提供する。【解決手段】スキャナ５の解像度をできるだけ高く、１ピクセルに対するビット数を大きく設定し、常に同一条件で、写真原稿３をスキャンし、マスターデータ７を作成し、マスターアーカイブ９に記録する。マスターデータ７に対して解像度変換、色調補正等の画像変換１１を行ない、デスティネーションデータ１５を作成し、デスティネーションアーカイブ１７に保存する。【選択図】図１
2008160876.tif 000002
【特許請求の範囲】
【請求項１】
ｓＲＧＢ規格モニタ、かつ、少なくともパソコンモニタまたはプリンタまたは高精度テレビジョンのいずれかの出力装置に出力可能とする十分な解像度とビット数で各被写体の画像を各被写体に拘わらず同一条件で入力する入力手段と、
前記入力手段で入力された画像をマスターデータとして保持する保持手段と、
前記入力手段の測定した色再現性特性と前記ｓＲＧＢのプロファイルの条件に基づいて、前記マスターデータの画像を色変換してｓＲＧＢ画像を作成する色変換手段と、
前記ｓＲＧＢ画像に対して、所望する各出力装置に適した変換を行い、所望する各出力装置に表示したときにきれいな画像に見えるデスティネーションデータを作成する変換手段と、
を具備し、
前記変換手段による変換は、前記ｓＲＧＢ画像を、色再現特性および階調再現特性が常に同じ環境に統一されている前記ｓＲＧＢ規格モニタに表示して行うことを特徴とする画像作成装置。
【請求項２】
前記変換手段による前記マスターデータから前記デスティネーションデータへの変換の履歴を保持することを特徴とする請求項１に記載の画像作成装置。
【請求項３】
前記入力手段の測定した色再現性特性とＬａｂのプロファイルの条件に基づいて、前記マスターデータの画像を測色値画像に変換する手段を、更に、具備することを特徴とする請求項１または請求項２に記載の画像作成装置。
【請求項４】
コンピュータを請求項１から請求項３のいずれかに記載の画像作成装置として機能させるプログラムを記録したコンピュータ読取り可能な記録媒体。
【発明の詳細な説明】
【技術分野】
【０００１】
本発明は、画像作成装置および記録媒体に関するものである。
【背景技術】
【０００２】
ある被写体に対してデジタル画像を作成する手段としては、その被写体が撮影されている写真やポジフィルムをスキャナを用いてスキャンする手法が一般的である。また、被写体から、デジタルカメラを用いて直接デジタル画像を作成する方法も存在する。その時、出力する出力装置を想定し、その出力装置で画像が最適に再現されるように分解条件を設定する。
【０００３】
図７は、従来のデジタル画像作成方法を示す図である。１００１は写真原稿を示し、３つの出力装置に各々画像を表示する。出力装置は、ＨＤＴＶ（ＨｉｇｈＤｅｆｉｎｉｔｉｏｎ
ＴｅｌｅＶｅｓｉｏｎ）１００５、パソコンモニタ１００９、プリンタ１０１３等である。
【０００４】
各々の出力装置に合わせて、写真原稿１００１の画像を分解して取り込むためにスキャナを設定する。例えば、ＨＤＴＶ１００５の画面いっぱいに、４ｉｎｃｈ×５ｉｎｃｈの写真を表示する場合は、スキャナ１００３を、例えば、解像度３００ｄｐｉ（ｄｏｔ
ｐｅｒ ｉｎｃｈ）、ＲＧＢ（Ｒｅｄ、Ｇｒｅｅｎ、Ｂｌｕｅ）各色８ビット、1 ピクセルあたり２４ビット、画像サイズ１９２０×１０８０ピクセルに設定する。
【０００５】
パソコンモニタ１００９の画面いっぱいに、４ｉｎｃｈ×５ｉｎｃｈの写真を表示する場合は、画像をＲｅｄ、Ｇｒｅｅｎ、Ｂｌｕｅの３色に分解し、解像度１５０ｄｐｉ、ＲＧＢ各色８ビットで、１ピクセルあたり２４ビット、画像サイズ８００×６００ピクセルになるようスキャナ１００７を設定する。
【０００６】
プリンタ１０１３で、４ｉｎｃｈ×５ｉｎｃｈの写真をＡ４の用紙に印刷する場合は、画像をＣｙａｎ、Ｍａｇｅｎｔａ、Ｙｅｌｌｏｗ、Ｂｌａｃｋの４色に分解し、解像度は７００ｄｐｉ、ＣＭＹＫ（Ｃｙａｎ、Ｍａｇｅｎｔａ、Ｙｅｌｌｏｗ、Ｂｌａｃｋ）各色８ビットで、１ピクセルあたり３２ビット、画像サイズはＡ４で約４１００×２９００ピクセルにスキャナ１０１１を設定する。
【０００７】
また、コンピュータ１０１７等で画像を作成して学術的な解析を行う場合は、できるだけ詳細な情報が必要となるため、例えばＲＧＢ各色１６ビットで、1 ピクセルあたり４８ビット、解像度は１０００ｄｐｉという条件にスキャナ１０１５を設定することが好ましい。
【０００８】
また、写真原稿１００１の色、階調分布に応じて好ましい色再現になるよう、スキャナの設定を行う。例えば、暗い色調の被写体の場合、明るくなるようにしたり、グレーに赤みがかかっている場合、赤みを取るようにスキャナを設定する。
【０００９】
ところで、特定の出力装置用に分解された画像を他の出力装置で表示しようとすると、解像度、ビット数、トーンカーブ、色調、色空間などの変換が必要となることが多い。特に、低解像度、低ビット数で作成された画像データを他の出力装置用に変換すると、画像が劣化するという問題がある。
【００１０】
図８は、パソコンモニタ１０５９のためにスキャナ１０５３を低解像度、低ビット数に設定して得られた画像を他の出力装置へ表示した例を示す図である。１０５１は、写真原稿である。
【００１１】
ＨＤＴＶ１０５７に表示するために、低解像度、低ビット数に設定して得られた画像に対して、階調変換、色調変換等を行なうと、階調数が減少して画像の質が悪くなる。例えば、２５６階調の画像をＨＤＴＶ１０５７に表示するためには、γ値を１．０から０．４５に変換する必要があり、階調数は１８３階調に減少し、画像の質が落ちる。
【００１２】
また、プリンタ１０６３で印刷するために、低解像度、低ビット数で作成された画像データを拡大して、補間によって不足情報を補うと、グラデーション部分に疑似輪郭が出る等の問題が発生し、きれいな画像が得られない。結局、美しい画像を得るためには、図７のように、出力装置に応じて、スキャナの設定を変えて、複数回スキャンを行う必要がある。
【００１３】
また、出力装置にフィルムの色を正確に再現したい場合や、学術用途として、被写体の色分布を調べたい場合には、スキャンされた画像データから、フィルム上の被写体の測色値への変換をする必要がある。そのためには、スキャナの入力特性を把握しておく必要があるが、絵柄に応じてスキャン条件を変えてしまうと、スキャナの入力特性も変わってしまい、絵柄毎にスキャナの入力特性を記録しておかなければならず、この手法は現実的ではないため、フィルム上の被写体の測色値への変換が困難となる。
【００１４】
図９は、このような従来のＲＧＢ画像から測色値（Ｌａｂ）画像への変換を行なう方法を示す図である。原理的には、写真原稿２００１に応じてスキャナ２００３の設定条件をＡとし、ＲＧＢ画像２００５を得る。スキャナ２００３で行なった設定条件Ａを記録し、画像変換２００７を行なうと、写真原稿２００１の有する色を正確に再現するＬａｂ画像２００９が得られる。
【００１５】
写真原稿２０１１は、スキャナ２０１３の設定条件B 、写真原稿２０２１は、スキャナ２０２３の設定条件Ｃにし、写真原稿毎にスキャナの設定条件を記録する必要がある。更に、スキャナは、その設定パラメータの特性が公開されていないため、設定パラメータと変換の関係を調査しなければならないので、現実的には、写真原稿からその測色値への変換は難しい。
【００１６】
また、モニタに絵柄を表示し、その絵柄を観察しながら色修正を行う場合があるが、ある色再現を持つモニタ上で好ましい色再現に作り込まれた絵柄が、他の色再現を持つモニタで表示した場合は、異なる色再現特性を持つことになってしまう。
【００１７】
さらに、好ましい絵柄への作り込みは、色分布、被写体が何であるか等、絵柄の種類によって異なる。通常、作り込まれた絵柄のみが保存されるが、その場合作り込む前の画像から、再度作り込む必要が生じた時、前回と同様の絵柄を作ることができるとは限らない。
【００１８】
尚、特許文献１において、同一画像について異なる解像度のデータを読み込む場合にも複数回数にわたって画像読取装置を動作させる必要がない画像処理装置は開示されている。
【特許文献１】特開平７−２３１７７号公報
【発明の開示】
【発明が解決しようとする課題】
【００１９】
このように従来の手法では、複数の出力装置へ表示したい場合には、複数回のスキャンが必要であり、色修正を行う場合にも困難が伴った。
【００２０】
本発明はこのような問題に鑑みてなされたもので、その目的とするところは、画像の取り込み回数が１度でよく、取り込んだ画像を種々の出力装置に用いることができ、画像の修正等も容易な画像作成装置および記録媒体を提供することにある。
【課題を解決するための手段】
【００２１】
前述した目的を達成するために第１の発明は、ｓＲＧＢ規格モニタ、かつ、少なくともパソコンモニタまたはプリンタまたは高精度テレビジョンのいずれかの出力装置に出力可能とする十分な解像度とビット数で各被写体の画像を各被写体に拘わらず同一条件で入力する入力手段と、前記入力手段で入力された画像をマスターデータとして保持する保持手段と、前記入力手段の測定した色再現性特性と前記ｓＲＧＢのプロファイルの条件に基づいて、前記マスターデータの画像を色変換してｓＲＧＢ画像を作成する色変換手段と、前記ｓＲＧＢ画像に対して、所望する各出力装置に適した変換を行い、所望する各出力装置に表示したときにきれいな画像に見えるデスティネーションデータを作成する変換手段と、を具備し、前記変換手段による変換は、前記ｓＲＧＢ画像を、色再現特性および階調再現特性が常に同じ環境に統一されている前記ｓＲＧＢ規格モニタに表示して行うことを特徴とする画像作成装置である。本発明によれば、複数の出力装置への表示を前提としたとき、１度のスキャンで対応できる。また、色修正をやり直す必要が生じたとき、マスターデータに対して、変換を行えば良く、入力手段であるスキャナ等での再分解を行う必要が無い。色修正を行う環境が統一されているため、モニタの色が違うために修正結果が異なる、という問題が生じない。
【００２２】
前記画像作成装置は、前記変換手段による前記マスターデータから前記デスティネーションデータへの変換の履歴を保持することが望ましい。これによって、履歴を利用すれば、何度でも同じデスティネーションデータを作成できる。また、色修正の変更が必要な場合に、その履歴を参考にして、修正することができる。
【００２３】
また、前記画像作成装置は、前記入力手段の測定した色再現性特性とＬａｂのプロファイルの条件に基づいて、前記マスターデータの画像を測色値画像に変換する手段を、更に、具備することが望ましい。これによって、マスターデータから、原稿の測色値への変換ができ、その測色値を用いることで、学術的な画像解析、劣化した原稿の修復を行うことができる。
【００２４】
第２の発明は、コンピュータを第１の発明の画像作成装置として機能させるプログラムを記録したコンピュータ読取り可能な記録媒体である。
【発明の効果】
【００２５】
本発明によれば、画像の取り込み回数が１度でよく、取り込んだ画像を種々の出力装置に用いることができ、画像の修正等も容易な画像作成装置および記録媒体を提供することができる。
【発明を実施するための最良の形態】
【００２６】
図１は、本発明に係る画像作成装置１の概略説明図である。３は、写真原稿である。スキャナ５は、写真原稿３をスキャンし、画像データであるマスターデータ７を得る。この時、スキャナ５は、解像度をできるだけ高く、１ピクセルに対するビット数を大きく設定し、異なる写真原稿等に対しても設定条件を、常に同一する。
【００２７】
マスターアーカイブ９は、マスターデータ７をハードディスク、ＭＯ、ＣＤ−ＲＯＭ等の記録媒体に保存し、画像情報をデータベース化したものである。マスターアーカイブ９からある出力装置の特性に合わせて解像度変換、ハイライトポイント、シャドーポイントの設定、トーンカーブ修正、色調補正等の画像変換１１を行なう。また、このとき、好ましい色再現を実現するための作り込みを行うこともできる。
【００２８】
このようにして、デスティネーションデータ１５を作成する。デスティネーションアーカイブ１７は、デスティネーションデータ１５を、ＭＯ、ＣＤ−ＲＯＭ等の記録媒体に保存し、画像情報をデータベース化したものである。デスティネーションデータ１５及びデスティネーションアーカイブ１７は、特定の出力装置に表示した時に、きれいな画像に見えることを目的とするデータである。
【００２９】
デスティネーションデータ１５の作成は、モニタ１９に画像を表示しながら、補正を行なうが、モニタ１９の色再現、階調再現特性は、常に同じ環境に統一しておく。このようにすれば、常に同じ環境下でデスティネーションデータ１５を作成することができる。
【００３０】
履歴１３は、マスターデータ７からデスティネーションデータ１５を作成する際の変換や修正等を画像ごとに履歴として残したものである。この履歴１３を用いれば、マスターデータ７から何度でも同じデスティネーションデータ１５を作成することができる。
【００３１】
マスターアーカイブ９は、スキャナ５を常に同一条件に設定して得られた画像であるため、測色値への画像変換２１が行われ、測色値（Ｌａｂ）画像２３が得られる。測色値（Ｌａｂ）画像２３を用いて、劣化した写真原稿３の原稿修復２５を行なったり、名画等の画像解析２７を行なうことができる。
【００３２】
図２は、本発明の実施の形態に係る画像作成装置５０の説明図であり、図３は、入力処理を示すフローチャートである。まず、スキャナ５３を設定する（ステップ３０１）。図４は、スキャナ５３の設定条件を示す図である。図４に示すように、解像度を高く、１ピクセルあたりのビット数を大きく設定してあり、読み取るべき原稿に関係なく常に、同じ条件に設定する。
【００３３】
写真原稿５１をスキャナ５３で読み取り、マスターデータ５５を得て（ステップ３０２）、マスターデータ５５をディスク等に収納して、マスターアーカイブ５７を作成する（ステップ３０３）。
【００３４】
次に、スキャナ５３の色再現特性を測定し、スキャナプロファイル５９を作成する。スキャナプロフィル５９とｓＲＧＢプロファイル６１に記述された条件に基づき、色変換エンジン６３により色変換を行なう（ステップ３０４）。色変換エンジン６３は、例えば、Ｃｏｌｏｒ
Ｓｙｎｃを用いる。スキャナプロファイル５９、色変換エンジン６３は、ＩＣＣ（ＩｎｔｅｒｎａｔｉｏｎａｌＣｏｌｏｒ Ｃｏｎｓｏｒｔｉｕｍ）規格に準拠する。
【００３５】
次に、ｓＲＧＢに変換した画像に対して、画像処理ソフトウエア６５を用いて色補正、解像度、サイズ変換、ビット数変換を行ない、デスティネーションデータ６７を生成し、デスティネーションアーカイブ７３を作成する（ステップ３０５）。
【００３６】
ステップ３０５の処理は、ｓＲＧＢ規格モニタ７１に画像を表示しながら行なわれるが、そのモニタの色再現特性をｓＲＧＢ規格に合わせる。具体的には、色補正は、ハイライト、シャドーの設定、トーンカーブの設定等を行ない、好ましい色再現を実現する。解像度、サイズ変更、ビット数変換は、出力したい装置のサイズと処理可能なビット数に合わせて変換を行なう。ステップ３０５の変換処理を、画像毎に履歴６９として保存する。
【００３７】
図５は、画像作成装置５０の出力処理を示すフローチャートである。出力装置を選択する（ステップ５０１）。表示装置がＨＤＴＶ７５の場合は、ＨＤＴＶ７５は、ｓＲＧＢ規格に準拠しているためそのまま、表示する（ステップ５０２）。
ｓＲＧＢ規格のパソコンモニタ７７の場合は、ｓＲＧＢ規格を準拠するようモニタを調整してから、表示する（ステップ５０３）。
【００３８】
ｓＲＧＢ規格に調整できないパソコンモニタ９３の場合は、ｓＲＧＢプロフィル８９とモニタプロファイル９１に記述された条件に基づき、ｓＲＧＢのデータを色変換エンジン８７を用いて、ＲＧＢのデータに変換し、表示する。
【００３９】
プリンタ８５の場合は、ＣＭＹＫの４色で再現されるため、ｓＲＧＢからＣＭＹＫへ変換を行なう。ｓＲＧＢプロフィル７９とプリンタプロファイル８１に記述された条件に基づき、ｓＲＧＢのデータを色変換エンジン８３を用いて、ＣＭＹＫのデータに変換し（ステップ５０４）、印刷する（ステップ５０５）。
【００４０】
図６は、マスターアーカイブ５７から測色値画像９３を作成する処理を示すフローチャートである。マスターアーカイブ５７のＲＧＢの画像データからスキャナプロファイル８９とＬａｂプロファイル９１に記述された条件に基づき、色変換エンジン８７を用いて測色値画像９３を得る（ステップ６０１）。
【００４１】
測色値画像９３を用いて画像解析９５や原稿修正９７を行なう（ステップ６０２）。即ち、測色値画像９３を用いると、画像の色分析を調べる場合など、学術的な画像解析を行うことができる。また、写真画像５１は、年月を経ると劣化していくが、測定値画像９３を用いてその劣化具合を判断し、写真原稿５１を修復する作業に用いることもできる。
【００４２】
このように、本実施の形態によれば、複数の出力装置への表示を前提としたとき、１度のスキャンで対応できるようになった。
【００４３】
また、色修正をやり直す必要が生じたとき、マスターアーカイブ５７のデータに対して、変換を行えば良く、スキャナ５３での再分解を行う必要が無い。色修正を行う環境が統一されているため、モニタ７１の色が違うために修正結果が異なる、という問題が生じない。
【００４４】
デスティネーションアーカイブ７３を作成するための履歴６９が残っているため、履歴６９を利用すれば、何度でも同じデスティネーションアーカイブ７３を作成できる。また、色修正の変更が必要な場合に、その履歴６９を参考にして、修正することができる。マスターアーカイブ５７から、原稿の測色値への変換ができ、その測色値を用いることで、学術的な画像解析、劣化した原稿の修復を行うことができる。
【図面の簡単な説明】
【００４５】
【図１】本発明に係る画像作成装置１の概略説明図
【図２】本発明の実施の形態に係る画像作成装置５０の説明図
【図３】画像作成装置５０の入力処理を示すフローチャート
【図４】スキャナ５３の設定条件を示す図
【図５】画像作成装置５０の出力処理を示すフローチャート
【図６】マスターアーカイブ５７から測色値画像９３を作成する処理を示すフローチャート
【図７】従来のデジタル画像作成方法を示す図
【図８】低解像度、低ビット数に設定して得られた画像を他の出力装置へ表示した例を示す図
【図９】従来のＲＧＢ画像から測色値（Ｌａｂ）画像への変換を行なう方法を示す図
【符号の説明】
【００４６】
５０………画像作成装置
３、５１………写真原稿
５、５３………スキャナ
７、５５………マスターデータ
９、５７………マスターアーカイブ
１１、２１………画像変換
１３、６９………履歴
１５、６７………デスティネーションデータ
１７、７３………デスティネーションアーカイブ
１９………モニタ
７５………ＨＤＴＶ
７７………パソコンモニタ
８５………プリンタ
【図１】
2008160876.tif 000003
【図２】
2008160876.tif 000004
【図３】
2008160876.tif 000005
【図４】
2008160876.tif 000006
【図５】
2008160876.tif 000007
【図６】
2008160876.tif 000008
【図７】
2008160876.tif 000009
【図８】
2008160876.tif 000010
【図９】
2008160876.tif 000011